(57)【要約】【課題】通気層に浸入して建具の上部に流下した雨水等の水を容易に且つ安価で確実に排水することができる外壁を提供する。【解決手段】建物の躯体２の壁部３に通気層２３を介して外壁材４を取付けると共に建具５を取付け、該建具５と外壁材４の隙間７にパッキン８を挿入した外壁１であって、前記パッキン８は建具５との間をシールする複数枚の気密片部２８ａ，２８ｂ，２８ｃを有し、前記建具５の上部と外壁材４の隙間７に挿入されるパッキン８の気密片部２８ａ，２８ｂ，２８ｃに、前記通気層２３に浸入して建具５の上部に流下した雨水等の水ｗを外部に排水するための切欠部３５ａ，３５ｂ，３５ｃを設け、これら切欠部３５ａ，３５ｂ，３５ｃが内外方向に直列にならないように位置をずらして配置されている。【選択図】　　　　　図２
2004076485.tif 000002
【特許請求の範囲】
【請求項１】
建物の躯体の壁部に通気層を介して外壁材を取付けると共に建具を取付け、該建具と外壁材の隙間にパッキンを挿入した外壁であって、前記パッキンは建具との間をシールする複数枚の気密片部を有し、前記建具の上部と外壁材の隙間に挿入されるパッキンの気密片部に、前記通気層に浸入して建具の上部に流下した雨水等の水を外部に排水するための切欠部を設け、これら切欠部が内外方向に直列にならないように位置をずらして配置されていることを特徴とする外壁。
【発明の詳細な説明】
【０００１】
【発明の属する技術分野】
本発明は、外壁に係り、特に通気層に浸入して建具の上部に流下した雨水等の水を容易に排水し得るようにした外壁に関する。
【０００２】
【従来の技術】
建物の外壁としては、建物の躯体の壁部に外壁材を取付けると共にサッシ等の建具を取付け、この建具と外壁材の隙間にパッキン（ガスケットともいう）を挿入してなる乾式シール工法（ガスケット工法ともいう）の外壁が知られている。
【０００３】
一方、近年の外壁においては、建物の躯体の壁部に通気層を介して外壁材を取付ける通気工法が主流になって来ている。この外壁によれば、台風等で外壁材の継目から浸入した雨水や外壁材の裏面等に生じた結露水等の水を通気層により下部へ排水することができると共に乾燥させることができ、躯体の壁部と外壁材の間に水分を溜めず、水分による害を抑制することができる。
【０００４】
【発明が解決しようとする課題】
しかしながら、前記外壁においては、通気層に浸入して建具の上部に流下した雨水等の水が建具の上部例えばサッシの上枠上に流下し、上枠の両端部から排水されずに上枠上に溜まる水残りを生じる問題がある。特に、サイズの大きいサッシや上枠の変形により水残りが多くなる。なお、隙間に目地材を充填する湿式シール工法（シーリング目地工法ともいう）においては、上枠と外壁材の隙間に水抜き部品を取付ける提案もなされているが、この水抜き部品はある程度水が溜まらないと排水できず、水残りが解消されないばかりか、コストアップを余儀なくされる。
【０００５】
本発明は、前記事情を考慮してなされたもので、通気層に浸入して建具の上部に流下した雨水等の水を容易に且つ安価で確実に排水することができる外壁を提供することを目的とする。
【０００６】
【課題を解決するための手段】
本発明は、建物の躯体の壁部に通気層を介して外壁材を取付けると共に建具を取付け、該建具と外壁材の隙間にパッキンを挿入した外壁であって、前記パッキンは建具との間をシールする複数枚の気密片部を有し、前記建具の上部と外壁材の隙間に挿入されるパッキンの気密片部に、前記通気層に浸入して建具の上部に流下した雨水等の水を外部に排水するための切欠部を設け、これら切欠部が内外方向に直列にならないように位置をずらして配置されていることを特徴とする。
【０００７】
【発明の実施の形態】
以下に、本発明の実施の形態を添付図面に基いて詳述する。
【０００８】
図１、図６ないし図７において、１は外壁で、この外壁１は建物の躯体２の壁部３に取付けられる外壁材４と建具例えばサッシ５とを備えている。このサッシ５は、建物の躯体２の開口部９に設けられる枠（建具枠）６と、この枠６内に例えば引違いに開閉自在に設けられた障子１０とから主に構成されている。前記外壁材４とサッシ５との間、具体的には外壁材４の端部とサッシ５の枠６の外側面との間には隙間７が設けられ、この隙間７にパッキン８が屋外側（室外側）から挿入されるようになっている。
【０００９】
前記枠６は、例えばアルミニウム合金の押出形材からなる上枠６ａ、下枠６ｂ及び左右の縦枠６ｃ，６ｄにより方形に組立てられている。枠６の外周には、室内外方向略中間に取付フィン１１が設けられ、この取付フィン１１を躯体２の室外面に固着具例えばネジや釘で固定することにより枠２が半外付け状態に取付けられている。また、前記左右の縦枠６ｃ，６ｄには、前記隙間７を所定の間隔を隔てて覆うように突出ないし張出した突出部（張出部）１２が設けられている。
【００１０】
前記外壁材４は、例えばタイルやレンガのような窯業系の外装材（サイディング）からなり、所定寸法（例えば縦横が４５０ｍｍ×２７００ｍｍ）のパネル状に形成されている。外壁材４の取付方法としては、縦長状態で取付ける縦張りや、横長状態で取付ける横張りがあるが、何れであってもよい。また。外壁材４としては、金属系のパネルであってもよい。
【００１１】
前記外壁材４の上端部には、例えば図８に示すように、厚さ方向略中間から外表面までの厚さの凹部１５と、厚さ方向略中間から裏面までの厚さの凸部１６とが形成され、外壁材４の下端部には、厚さ方向略中間から外表面までの厚さの凸部１７と、厚さ方向略中間から裏面までの厚さの凹部１８とが形成され、これら凹部１５，１８と凸部１６，１７を互いに係合させた状態で外壁材４が躯体２の壁部３に張設されるようになっている。また、図示例では、下部の外壁材４の下端部が第１の取付金具（取付部材）２０を介して、この下部の外壁材４と上部の外壁材４の接合部（係合部）が第２の取付金具（取付部材）２１を介して躯体２の壁部３と外壁材４との間に所定隙間の通気層２３が形成されるように躯体２の壁部３に取付けられている。なお、サッシ５の枠６と対向する外壁材４の端部は、凹部及び凸部を有せず、パネル面に直角に切断されている。
【００１２】
前記第１の取付金具２０及び第２の取付金具２１は、躯体２に固着具例えば釘２４で固定されている。なお、前記上部の外壁材４の上端部には凹部１５及び凸部１６が形成されておらず、この上部の外壁材４の上端部は躯体２の壁部３に通気胴縁２５を介して釘２４で固定されている。また、前記躯体２の壁部３には、透湿防水紙２６が張設されている。
【００１３】
前記パッキン８は、図３の（ａ）に示すように、前記外壁材４の外縁部（外面の縁部）に係止される突条部（外面側の突条部）２７ｂを有している。また、図示例（実施例）のパッキン８は、外壁材４の内縁部（内面すなわち裏面の縁部）に係止される突条部（内面側の突条部）２７ａも有しており、これら挿入方向前後の突条部２７ａ，２７ｂにより外壁材４の端部を厚さ方向の前後から挟み込んで自らを固定保持するようになっている。
【００１４】
換言すれば、パッキン８は、一側に前記外壁材４の端部を厚さ方向の前後から挟み込んで自らを固定保持する突条部２７ａ，２７ｂを有している。また、パッキン８は、他側に前記枠６の外側面に対して弾性力で密着する変形可能なヒレ状の複数枚例えば３枚（少なくとも３枚が好ましい）の気密片部（ヒレ部ともいう）２８ａ，２８ｂ，２８ｃ（図６〜図８では２８で示す）を有している。前記パッキン８は、弾性変形可能なゴム質ないし軟質樹脂からなり、押出成形により図３の紙面に垂直方向に連続した長尺に形成されている。
【００１５】
パッキン８の一側部には、外壁材４の直角に切断された端面に当接される当接面部２９が形成されていると共に、その前端部（先端部）と後端部とから外壁材４の厚さと略同じ間隔で対向する状態で側方へ突出した一対の前記突条部２７ａ，２７ｂが一体形成され、これら両突条部２７ａ，２７ｂが外壁材の端縁部を表裏両面から挟み込むようになっている。内面側の突条部２７ａはパッキン８の抜けを防止する。外面側の突条部２７ｂはパッキン８の位置決め用として挿入し過ぎを規制ないし防止すると共に外壁材４の外縁部を覆って保護する。両突条部２７ａ，２７ｂは外壁材４を挟み込むことでパッキン８自体を固定すると共に外壁材４とパッキン８との間の気密性及び水密性を保持する。
【００１６】
前記外面側の突条部２７ｂの付根部には切断用の溝３０が設けられていることが好ましい。切断用の溝３０は、断面Ｖ字状溝からなり、突条部２７ｂの付根部の少なくとも一側（図示例では両側）に長手方向に沿って設けられている。この溝３０により前記突条部２７ｂの付根部が肉厚の薄い薄肉部３１になっており、これにより図３の（ｂ）に示すように容易に且つ奇麗に引き裂いて突条部２７ｂを除去（切除）可能になっている。
【００１７】
前記パッキン８の他側部には、サッシ５との間をシールする側方へ突出した気密片部２８ａ，２８ｂ，２８ｃが一体形成されている。これら気密片部２８ａ，２８ｂ，２８ｃはパッキン８の長手方向に連続して形成されている。また、これら気密片部２８ａ，２８ｂ，２８ｃはパッキン８の挿入方向とは反対側の斜め後方へ傾斜して形成されている。パッキン８の一側の当接面部２９と他側の気密片部２８ａ，２８ｂ，２８ｃ先端との間の寸法が、前記隙間７の幅よりも大きく形成されている。
【００１８】
気密片部２８ａ，２８ｂ，２８ｃは、パッキン８の挿入方向に適宜間隔に横列に設けられ、隣り合う気密片部２８ａ，２８ｂ，２８ｃ間には風圧を減圧するための空気層３２が形成されている。すなわち、パッキン８を前記隙間７に屋外側から挿入すると、前記気密片部２８の先端側が弾性力により枠６の外側面にこれを押圧するように密着し、パッキン８と枠６との間に気密片部２８ａ，２８ｂ，２８ｃで区画された複数段例えば２段の空気層（空気室）３２が形成されるようになっている。外壁材４よりも屋外側の風圧をＰａ、外壁材４よりも屋内側の気圧をＰｄ、前記空気層３２の空気圧を屋外側からＰｂ、Ｐｃとすると、風圧がＰａ＞Ｐｂ＞Ｐｃ＞Ｐｄのように段階的に減圧されるため、各気密片部２８を境とする気圧差が小さくなり、気圧差で雨水が屋内側に侵入するのを抑制ないし防止することができる。
【００１９】
前記縦枠６ｃ，６ｄの屋外端には前記隙間７の屋外側を所定の間隔を隔てて覆うように鍔状に突出した突出部１２が形成されているため、パッキン８を屋外側から直接前記隙間７に挿入することが難しい。そこで、パッキン８を横方向から向きを変えながら前記隙間７に挿入し易くするために、前記パッキン８の前端部には傾斜部３３が設けられている。この傾斜部３３は一側の前部の突条部２７ａから他側に向って傾斜している。
【００２０】
また、パッキン８の弾性変形による方向変換を容易にするために、パッキン８には中空部３４が設けられていることが好ましい。これによりパッキンが挿入通路のコーナー部における外壁材４のエッジ部で潰れて容易に方向変換が可能となり、隙間７へのパッキン８の挿入が容易になる。
【００２１】
前記サッシ５の上部と外壁材４との隙間７に挿入されるパッキン８の外面側の突条部２７ｂと外壁材４の外面との隙間に雨水や埃が入り込む問題を解消するために、図２ないし図６に示すように、前記サッシ５の上部と外壁材４との隙間７に挿入されるパッキン８はその突条部２７ｂが切除されている。パッキン８には突条部２７ｂの付根部に切断用の溝３０が設けられているため、パッキン８から突条部２７ｂを容易に且つ奇麗に引き裂いて除去することができる。なお、突条部２７ｂを引き裂く代りにカッターで切断してもよく、この場合も溝３０があるため切断作業が正確且つ容易にできる。
【００２２】
そして、前記サッシの上部と外壁材４の隙間に挿入されるパッキン８の気密片部２８ａ，２８ｂ，２８ｃには、前記通気層２３に浸入してサッシ５の上枠６ａの上部に流下した雨水や結露水等の水ｗを外部に排水するための切欠部３５ａ，３５ｂ，３５ｃがそれぞれ設けられ、外部からの水の浸入や気流の通過を抑制するために、これら切欠部３５ａ，３５ｂ，３５ｃが内外方向に直列にならないように位置をずらして配置されている。
【００２３】
この場合、外部から１枚目の気密片部２８ａの切欠部３５ａと３枚目の気密片部２８ｃの切欠部３５ｃを通過する気流の流速を遅くするために、１枚目の気密片部２８ａの切欠部３５ａと、２枚目の気密片部２８ｂの切欠部３５ｂと、３枚目の気密片部２８ｃの切欠部３５ｃとの面積比が２：１：２になるように形成されていることが好ましい。
【００２４】
例えば、図５の（ａ）に示すように気密片部２８ａ，２８ｂ，２８ｃを矢印Ａ方向から見て、同図の（ｂ）に示すように切欠部３５ａ，３５ｂ，３５ｃの大きさが同じ場合、１枚目と３枚目の気密片部２８ａ，２８ｃに切欠部３５ａ，３５ｃが２つずつ設けられ、２枚目の気密片部２８ｂに切欠部３５ｂが１つ設けられる。この場合、２枚目の気密片部２８ｂの長手方向略中央部に切欠部３５ｂが設けられ、１枚目と３枚目の気密片部２８ａ，２８ｃには２枚目の気密片部２８ｂの切欠部３５ｂに対して左右に位置をずらして切欠部３５ａ，３５ｃが設けられる。
【００２５】
また、同図の（ｃ）または（ｄ）に示すように切欠部３５ａ，３５ｂ，３５ｃの大きさが異なる場合、１枚目と３枚目の気密片部２８ａ，２８ｃに大きい切欠部３５ａ，３５ｃが１つずつ設けられ、２枚目の気密片部２８ｂに小さい切欠部３５ｂが１つ設けられる。同図の（ｃ）では１枚目と３枚目の気密片部２８ａ，２８ｃの切欠部３５ａ，３５ｃが中央の切欠部３５ｂに対してそれぞれ異なる方向（左右）に位置ずれされおり、同図の（ｄ）では同方向（左）に位置ずれされている。
【００２６】
このように面積比にしたことにより、例えば外部と通気層内の圧力差を１００Ｐａに想定した場合に、１枚目の切欠部３５ａと３枚目の切欠部３５ｃを通過する気流の流速Ｖ１，Ｖ３が例えば６．３ｍ／秒程度と遅くなるため、外部に面して最も水のかかり易い箇所からの水の浸入を抑制することができると共に、逆流した水が内部を濡らす飛沫となるのを抑制することができる。なお、２枚目の切欠部３５ｂを通過する気流の流速Ｖ２は例えば１２．６ｍ／秒程度と早くなるが、多少飛沫になってもパッキン８の気密片部２８ａ，２８ｃ間内であるため、内部の躯体２を飛沫で濡らす恐れはない。
【００２７】
前記気密片部２８ａ，２８ｂ，２８ｃに孔を設けるのではなく、気密片部２８ａ，２８ｂ，２８ｃにその縁部（エッジ部）から切り込んだ切欠部３５ａ，３５ｂ，３５ｃを設けるため、通気層２３から上枠６ａの上面に流下した水ｗは、気密片部２８ａ，２８ｂ，２８ｃの縁部で塞き止められることなくそのまま上枠６ａの上面を移動して容易に且つ確実に排水することができ、水残りが生じない。なお、切欠部３５ａ，３５ｂ，３５ｃの形状は、Ｕ字状（半円、長半円、四角）、Ｖ字状（三角）等何れであっても良い。また、前記切欠部３５ａ，３５ｂ，３５ｃは、例えば小さいサイズのサッシの場合には略中央に１組設ければ良く、大きいサイズの場合には複数例えば２組設ければよい。
【００２８】
前記サッシ５の枠６の上部、下部及び左右両側部と外壁材４との隙間７にパッキン８がそれぞれ挿入され、上下左右のパッキン８のコーナー部における接合構造（繋ぎ方）としては、縦通しや横通し、或いはパッキン８の端部８ａを４５度の角度で切断して端部同士を留め接合する接合構造であっても良いが、図１に示すようにパッキン８の端部を９０度の角度で切断し、端部同士をコーナー用パッキン４０を介して接合する接合構造であることが好ましい。この場合、コーナー用パッキン４０はパッキンと同じ断面形状に形成されていることが好ましいが、コーナー用パッキン４０と上部のパッキン８との接合部には、水が気密片部２８ａ，２８ｂ，２８ｃ間の空気層３２を通って左右のパッキンの空気層３２に流れ込むのを防止するために空気層３２を塞ぐ塞ぎ部が設けられていることが好ましい。なお、図２中、３６は防水テープである。
【００２９】
以上の構成からなる外壁１によれば、建物の躯体２の壁部３に通気層２３を介して外壁材４を取付けると共に建具例えばサッシ５を取付け、このサッシ５と外壁材４の隙間７にパッキン８を挿入し、前記パッキン８はサッシ５との間をシールする複数枚の気密片部２８ａ，２８ｂ，２８ｃを有し、前記サッシ５の上部である上枠６ａと外壁材４の隙間７に挿入されるパッキン８の気密片部２８ａ，２８ｂ，２８ｃに、前記通気層２３に浸入してサッシ５の上枠６ａ上に流下した雨水等の水ｗを外部に排水するための切欠部３５ａ，３５ｂ，３５ｃを設け、これら切欠部３５ａ，３５ｂ，３５ｃが内外方向に直列にならないように位置をずらして配置されているため、通気層２３に浸入してサッシ５の上枠６ａ上に流下した雨水等の水ｗを容易に且つ安価で確実に排水することができる。
【００３０】
すなわち、従来の湿式シール工法において別途取付けられる水抜き部材と異なり、上部のパッキン８の気密片部２８ａ，２８ｂ，２８ｃに切欠部３５ａ，３５ｂ，３５ｃを設けるだけの簡単な構造で、通気層２３に浸入して上枠６ａの上面に流下する水ｗをそのまま上枠６ａの上面に沿って容易に且つ安価で確実に排水することができ、水残りが生じない。従って、上枠６ａの上面が反り変形を生じていて通気層２３側の上枠６ａ上面に水が溜まり易くなっていたとしても、この通気層２３側の上枠６ａ上面に溜まった水ｗａを外部に容易に確実に排水することができる。また、前記切欠部３５ａ，３５ｂ，３５ｃが内外方向に直列にならないように位置をずらして配置されているため、いわゆる迷路効果により、外部からの水の浸入や気流の通過を抑制することができる。
【００３１】
更に、外部から１枚目の気密片部２８ａの切欠部３５ａと３枚目の気密片部２８ｃの切欠部３５ｃを通過する気流の流速を遅くするために、１枚目の気密片部２８ａの切欠部３５ａと、２枚目の気密片部２８ｂの切欠部３５ｂと、３枚目の気密片部２８ｃの切欠部３５ｃとの面積比が２：１：２になるように形成されているため、外部に面して最も水のかかる箇所からの水の浸入を抑制することができると共に、逆流した水が内部を濡らす飛沫となるのを抑制することができる。
【００３２】
以上、本発明の実施の形態を図面により詳述してきたが、本発明は前記実施の形態に限定されるものではなく、本発明の要旨を逸脱しない範囲での種々の設計変更等が可能である。例えば、前記実施例では建具としてサッシが例示されているが、建具としては、サッシ以外に、例えばドアやシャッター等であってもよい。
【００３３】
【発明の効果】
以上要するに本発明によれば、建物の躯体の壁部に通気層を介して外壁材を取付けると共に建具を取付け、該建具と外壁材の隙間にパッキンを挿入した外壁であって、前記パッキンは建具との間をシールする複数枚の気密片部を有し、前記建具の上部と外壁材の隙間に挿入されるパッキンの気密片部に、前記通気層に浸入して建具の上部に流下した雨水等の水を外部に排水するための切欠部を設け、これら切欠部が内外方向に直列にならないように位置をずらして配置されているため、通気層に浸入して建具の上部に流下した雨水等の水を容易に且つ安価で確実に排水することができる。
【図面の簡単な説明】
【図１】本発明の実施の形態を示す外壁の概略的正面図である。
【図２】同外壁の要部拡大断面図である。
【図３】パッキンを示す図で、（ａ）は突条部を有する状態の断面図、（ｂ）は突条部を切除した状態の断面図である。
【図４】パッキンの気密片部に排水用の切欠部を設けた一例を示す斜視図である。
【図５】パッキンを示す図で、（ａ）は断面図、（ｂ）は（ａ）の矢印Ａ方向から見た気密片部における切欠部の配置例を示す図、（ｃ）は気密片部における切欠部の他の配置例を示す図、（ｄ）は気密片部における切欠部の更に他の配置例を示す図である。
【図６】図１の概略的縦断面図である。
【図７】図１の概略的横断面図である。
【図８】外壁材の取付構造を説明するための断面図である。
【符号の説明】
１　外壁
２　躯体
３　壁部
４　外壁材
５　サッシ（建具）
７　隙間
８　パッキン
ｗ　水
２３　通気層
２８ａ，２８ｂ，２８ｃ　気密片部
３５ａ，３５ｂ，３５ｃ　切欠部
【図１】
2004076485.tif 000003
【図２】
2004076485.tif 000004
【図３】
2004076485.tif 000005
【図４】
2004076485.tif 000006
【図５】
2004076485.tif 000007
【図６】
2004076485.tif 000008
【図７】
2004076485.tif 000009
【図８】
2004076485.tif 000010